(57)【要約】【課題】拡張カードを装着した状態で、過度の衝撃が加わった場合においても、スロット内のメカニズムの保護を可能にする。【解決手段】ガイド部材１４の突起部１４ｄの近傍に規制部１２ｆを備えたことにより、カード装着装置に装着された拡張カード１０に対して矢印Ｃに示す方向への過度の押圧力が印加されたとしても、突起部１４ｄの大きな変形を防止することができる。したがって、次回以降の拡張カード１０の装着時、ガイド部材１４を正常に矢印Ｃに示す方向へ変位させ、ハートカム機構を正常に動作させることができるので、拡張カード１０をカード装着装置から取り出す際にバネ１５の弾性復帰力を利用した取り出し動作を実現することができる。【選択図】図６Ｃ
2011222314.tif 000002
【特許請求の範囲】
【請求項１】
拡張カードを挿脱可能なカード装着装置であって、
前記拡張カードの挿入方向及び離脱方向へ変位可能なガイド部材と、
前記ガイド部材を、前記拡張カードの離脱方向へ付勢する付勢部材とを備え、
前記ガイド部材は、前記拡張カードが当接可能な位置に突起部を備え、
前記突起部に対して前記コネクタ側に配され、前記突起部の前記コネクタ側への変位を規制する規制部を備えた、カード装着装置。
【請求項２】
前記コネクタは、前記規制部を備えた、請求項１記載のカード装着装置。
【請求項３】
拡張カードを挿脱可能なスロットを備えた電子機器であって、
前記スロット内に配され、前記拡張カードを着脱可能なカード装着装置を備え、
前記カード装着装置は、
前記拡張カードの挿入方向及び離脱方向へ変位可能なガイド部材と、
前記ガイド部材を、前記拡張カードの離脱方向へ付勢する付勢部材とを備え、
前記ガイド部材は、前記拡張カードが当接可能な位置に突起部を備え、
前記突起部に対して前記コネクタ側に配され、前記突起部の前記コネクタ側への変位を規制する規制部を備えた、電子機器。
【発明の詳細な説明】
【技術分野】
【０００１】
本発明は、カード装着装置、電子機器に関する。
【背景技術】
【０００２】
近年、ノートパソコンは、例えばＰＣＭＣＩＡ（Personal Computer Memory Card Interface Association）カードやＥＸＰＲＥＳＳカードなど、規格化された拡張カードを挿脱可能なスロットを備えている機種が増えてきている。このような拡張カードは、ＬＡＮケーブルなどのネットワークケーブルを接続可能なコネクタを備えたネットワークカードや、無線ＬＡＮに接続可能なアンテナ及び送受信回路を備えたネットワークカードが登場してきている。ネットワークケーブルを接続可能なネットワークカードは、スロットに挿入可能な薄肉筐体と、スロットに挿入不可能でかつＬＡＮコネクタなどを備えた厚肉筐体とを備えている。また、無線ＬＡＮに接続可能なネットワークカードは、スロットに挿入可能な薄肉筐体と、スロットに挿入不可能でかつアンテナ及び送受信回路を備えた厚肉筐体とを備えている。いずれのネットワークカードも、ノートパソコンにおける所定のスロットに挿入した状態において、厚肉筐体がノートパソコンから突出する。
【０００３】
このように、ネットワークカードの一部（厚肉筐体）がノートパソコンから突出していると、ノートパソコンを誤って厚肉筐体側が鉛直下向きになる姿勢で床等に落下させてしまった際に、ネットワークカードに対して挿入方向への強い衝撃が印加されてしまう。
【０００４】
特許文献１は、バックコネクタ付きメモリカード状機器のバックコネクタの保護方法を開示している。特許文献２は、カード挿入口に金属板材料で形成された側縁部材を設けることで、カードコネクタの強度を高める構成を開示している。
【先行技術文献】
【特許文献】
【０００５】
【特許文献１】特開平１０−３３４９７６号公報
【特許文献２】特開２００５−１９７２１６号公報
【発明の概要】
【発明が解決しようとする課題】
【０００６】
しかしながら、スロットに挿入された拡張カードに衝撃が印加されると、スロット内で拡張カードを保持しているメカニズムに過度の負荷がかかり、メカニズムが変形してしまう場合がある。メカニズムが変形してしまうと、拡張カードを正常に着脱することが不可能になる場合がある。
【課題を解決するための手段】
【０００７】
本願に開示するカード装着装置は、拡張カードを挿脱可能なカード装着装置であって、前記拡張カードの挿入方向及び離脱方向へ変位可能なガイド部材と、前記ガイド部材を、前記拡張カードの離脱方向へ付勢する付勢部材とを備え、前記ガイド部材は、前記拡張カードが当接可能な位置に突起部を備え、前記突起部に対して前記コネクタ側に配され、前記突起部の前記コネクタ側への変位を規制する規制部を備えたものである。
【０００８】
本願に開示する電子機器は、拡張カードを挿脱可能なスロットを備えた電子機器であって、前記スロット内に配され、前記拡張カードを着脱可能なカード装着装置を備え、前記カード装着装置は、前記拡張カードの挿入方向及び離脱方向へ変位可能なガイド部材と、前記ガイド部材を、前記拡張カードの離脱方向へ付勢する付勢部材とを備え、前記ガイド部材は、前記拡張カードが当接可能な位置に突起部を備え、前記突起部に対して前記コネクタ側に配され、前記突起部の前記コネクタ側への変位を規制する規制部を備えたものである。
【発明の効果】
【０００９】
本願によれば、拡張カードを装着した状態で、過度の衝撃が加わった場合においても、スロット内のメカニズムの保護を可能にする。
【図面の簡単な説明】
【００１０】
【図１】本実施の形態にかかるノートパソコンの斜視図
【図２】本実施の形態にかかるノートパソコンの要部平面図
【図３】カード装着装置の分解斜視図
【図４】ガイド部材の斜視図
【図５】コネクタの斜視図
【図６Ａ】カード装着装置への拡張カードの着脱動作を示す平面図
【図６Ｂ】カード装着装置への拡張カードの着脱動作を示す平面図
【図６Ｃ】カード装着装置への拡張カードの着脱動作を示す平面図
【図７】コネクタとガイド部材との係合状態を示す部分斜視図
【発明を実施するための形態】
【００１１】
（実施の形態）
〔１．電子機器の構成〕
図１は、本実施の形態にかかるノートパソコンおよび拡張カードの外観を示す斜視図である。図２は、拡張カードが装着されたノートパソコンの部分平面図である。なお、本実施の形態では、電子機器の一例としてノートパソコンを挙げたが、少なくとも拡張カードを着脱可能なスロットを備えた機器であればよい。
【００１２】
図１に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ４を備えている。第１の筐体１と第２の筐体２とは、ヒンジ部３によって互いに回転自在に支持されている。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。第１の筐体１の側面１ｂには、略四角形の開口部を有するスロット１１を備えている。スロット１１には、拡張カード１０を挿脱可能である。
【００１３】
拡張カード１０は、本実施の形態では一例としてＥＸＰＲＥＳＳ規格に準拠した仕様を有する拡張カードとした。拡張カード１０は、互いに一体的に備わる薄肉筐体１０ａ及び厚肉筐体１０ｂを備えている。薄肉筐体１０ａは、スロット１１内に挿入可能である部分であり、規格に準拠した外形寸法（例えば長さ寸法が７５ｍｍ、幅寸法が３４ｍｍ、厚さ寸法が３．３ｍｍ）を有する。薄肉筐体１０ａの端部には、複数（例えば２６ピン）の電気接点を有する端子部１０ｃを備えている。厚肉筐体１０ｂは、外形寸法が規格に大きく依存する部分ではないため、様々な電気回路や端子等を備えることができる。本実施の形態では、厚肉筐体１０ｂは、無線でネットワークに接続可能なアンテナ及び送受信回路を備えているが、これは一例である。
【００１４】
スロット１１は、拡張カード１０を保持可能なカード装着装置を備えている。カード装着装置の具体構成については後述する。
【００１５】
図２に示すように、薄肉筐体１０ａは、拡張カード１０をスロット１１に挿入した状態において、ほぼ全体がスロット１１内に収納される。厚肉筐体１０ｂは、拡張カード１０をスロット１１に挿入した状態において、スロット１１内には挿入されず、第１の筐体１の側面１ｂから突出している。端子部１０ｃは、スロット１１内に配されているコネクタ１２に電気的に接続可能である。
【００１６】
〔２．カード装着装置の構成〕
図３は、本実施の形態にかかるカード装着装置の分解斜視図である。カード装着装置は、コネクタ１２、カードホルダー１３、ガイド部材１４、バネ１５、ネジ１６及び１７を備えている。図４は、ガイド部材１４の斜視図である。図５は、コネクタ１２の斜視図である。
【００１７】
コネクタ１２は、略直方体の樹脂筐体内に電気配線を内蔵して構成されている。コネクタ１２の第１側面には、端子基板１２ａが突出して配されている。端子基板１２ａは、樹脂基板の少なくとも一方の面に導電パターンが形成されたものである。コネクタ１２における端子基板１２ａが配されている第１側面に対向する第２側面には、フレキシブルプリント基板（不図示）が挿脱可能な開口部（不図示）を備えている。コネクタ１２の第１側面および第２側面を連設する一方の第３側面には、リブ１２ｂが第３側面から突出形成されている。リブ１２ｂは、ネジ１６を挿通可能な孔部１２ｄが形成されている。コネクタ１２の第３側面に対向する第４側面には、リブ１２ｃが第４側面から突出形成されている。リブ１２ｃは、ネジ１７を挿通可能な孔部１２ｅが形成されている。リブ１２ｃは、コネクタ１２の第１側面と同一方向を向く面に規制部１２ｆが形成されている。規制部１２ｆは、ガイド部材１４に備わる突起部１４ｄ（後述）が当接可能なように凹状に形成されている。なお、規制部１２ｆは、少なくとも突起部１４ｄが当接可能であればよく、凹状であることは必須ではない。
【００１８】
カードホルダー１３は、底部１３ａ、第１側部１３ｂ、第２側部１３ｃを備えている。カードホルダー１３は、例えば金属製の板金を折り曲げて形成することができる。第１側部１３ｂと第２側部１３ｃとの間隙Ｗ２は、少なくとも拡張カード１０の幅寸法Ｗ１（図２参照）よりも大きく形成されている。底部１３ａは、ネジ穴１３ｅ及び１３ｆが形成されている。
【００１９】
ガイド部材１４は、カードホルダー１３の第２側部１３ｃに摺動可能なように、長手方向（変位方向）に直交する断面形状が略Ｕ字状を有する部材である。ガイド部材１４は、例えば金属製の板金を折り曲げて形成することができる。ガイド部材１４は、第２側部１３ｃに摺動可能な間隙部１４ａを有する。ガイド部材１４は、長手方向（変位方向）の一方の端部にリブ１４ｂが形成されている。リブ１４ｂは、孔部１４ｃが形成されている。ガイド部材１４は、長手方向（変位方向）の他方の端部近傍に突起部１４ｄが形成されている。突起部１４ｄは、ガイド部材１４を第２側部１３ｃに摺動させた際に、底部１３ａの上方に位置するように形成されている。なお、本実施の形態では、突起部１４ｄは、図４に示すように略直方体としたが、この形状には限定されない。
【００２０】
バネ１５は、弾性を有する線材が螺旋状に巻かれたコイルバネである。バネ１５は、一方の端部に第１フック部１５ａが形成され、他方の端部に第２フック部１５ｂが形成されている。第１フック部１５ａは、カードホルダー１３のリブ１３ｄに形成された孔部１３ｇに係合される。第２フック部１５ｂは、ガイド部材１４のリブ１４ｂに形成された孔部１４ｃに係合される。
【００２１】
コネクタ１２は、ネジ１６を孔部１２ｄに挿通させてネジ穴１３ｅに螺合させ、ネジ１７を孔部１２ｅに挿通させてネジ穴１３ｆに螺合させることにより、カードホルダー１３に固定することができる。
【００２２】
ガイド部材１４は、間隙部１４ａに第２側部１３ｃを摺動させることによって、第２側部１３ｃに沿って矢印ＣまたはＤに示す方向へ変位可能に保持される。ガイド部材１４は、バネ１５の第１フック部１５ａがリブ１３ｄに形成された孔部１３ｇに係合され、バネ１５の第２フック部１５ｂがリブ１４ｂに形成された孔部１４ｃに係合されることにより、矢印Ｄに示す方向へ引っ張られた状態でカードホルダー１３に保持される。
【００２３】
ガイド部材１４は、間隙部１４ａの内壁にカム（不図示）を備えている。また、カードホルダー１３は、第２側部１３ｃに、ガイド部材１４のカムが摺動可能なカム溝（不図示）が形成されている。ガイド部材１４に備わるカムとカードホルダー１３に備わるカム溝とで、例えば特開２００７−１２５５０号公報に開示されているようなハートカム機構を実現している。したがって、ガイド部材１４は、第２側部１３ｃに沿ってコネクタ１２側へ所定位置まで変位するとハートカム機構がロック状態となり、矢印Ｃ及びＤに示す方向への変位が規制される。また、ガイド部材１４は、ロック状態となっている位置からさらにコネクタ１２側へ変位するとハートカム機構のロック状態が解除され、矢印Ｄに示す方向へ変位が可能となる。
【００２４】
以下、カード装着装置の動作について説明する。図６Ａ〜図６Ｃは、カード装着装置及び拡張カード１０の平面図である。
【００２５】
まず、図６Ａに示すように、カード装着装置に拡張カード１０が装着される前は、ガイド部材１４は、バネ１５の弾性復帰力によって矢印Ｄに示す方向へ付勢され、コネクタ１２から離間した位置にある。拡張カード１０を矢印Ｃに示すようにカードホルダー１３内に挿入し、さらに拡張カード１０を図６Ａに示す位置から矢印Ｃに示す方向へ変位させると、図６Ｂに示すように拡張カード１０の端部１０ｅがガイド部材１４の突起部１４ｄに当接する。
【００２６】
拡張カード１０を図６Ｂに示す位置からさらに矢印Ｃに示す方向へ変位させると、ガイド部材１４は、突起部１４ｄが拡張カード１０によって押圧されて、第２側部１３ｃに沿って矢印Ｃに示す方向へ変位する。このとき、ガイド部材１４は、バネ１５による矢印Ｄに示す方向への弾性復帰力に抗して、バネ１５を引張しながら変位する。
【００２７】
図６Ｃに示すように、拡張カード１０を端子部１０ｃにコネクタ１２の端子基板１２ａが挿入される位置まで変位させることにより、第２側部１３ｃ及びガイド部材１４に備わるハートカム機構（不図示）がロック状態となる。これにより、ガイド部材１４は、図６Ｃに示す位置で位置決めされる。このとき、端子部１０ｃと端子基板１２ａとが電気的に接続された状態となる。また、突起部１４ｄは、コネクタ１２の規制部１２ｆとの間に間隙を有する。なお、上述の間隙は、カード装着装置に拡張カード１０を装着した後で、再度拡張カード１０を矢印Ｃ方向に押圧することで、すくなくともハートカム機構（不図示）がロック解除する距離である。また、拡張カード１０は、薄肉筐体１０ａはほぼ全体がカード装着装置内に位置しているが、厚肉筐体１０ｂはカード装着装置及び第１の筐体１から突出している。
【００２８】
拡張カード１０をカード装着装置から取り出す際は、図６Ｃに示す状態において、拡張カード１０を矢印Ｃに示す方向へ押圧する。具体的には、厚肉筐体１０ｂを矢印Ｃに示す方向へ押圧する。拡張カード１０が矢印Ｃに示す方向へ押圧されることにより、拡張カード１０は突起部１４ｄを矢印Ｃに示す方向へ押圧し、ガイド部材１４が矢印Ｃに示す方向へ僅かに変位する。
【００２９】
ガイド部材１４が図６Ｃに示す位置から矢印Ｃに示す方向へ変位することにより、ハートカム機構（不図示）におけるロック状態が解除される。ハートカム機構（不図示）のロック状態が解除されることにより、ガイド部材１４は、バネ１５による矢印Ｄに示す方向への弾性復帰力により、矢印Ｄに示す方向へ変位する。拡張カード１０は、端部１０ｅに突起部１４ｄが当接していることにより、ガイド部材１４が矢印Ｄに示す方向へ変位するのに伴って突起部１４ｄが拡張カード１０を矢印Ｄに示す方向へ押圧し、変位する。拡張カード１０及びガイド部材１４は、バネ１５の弾性復帰力によって図６Ｂに示す位置まで変位する。なお、バネ１５の弾性復帰力が強い場合は、拡張カード１０及びガイド部材１４の矢印Ｄに示す方向への変位速度が速くなり、拡張カード１０が慣性によって図６Ａに示す位置まで変位することがある。
【００３０】
図６Ｂに示す状態において、ユーザーが拡張カード１０の厚肉筐体１０ｂを把持して矢印Ｄに示す方向へ変位させることによって、拡張カード１０をカード装着装置及び第１の筐体１から取り出すことができる。
【００３１】
ここで、図６Ｃに示すように、カード装着装置に拡張カード１０が装着されている状態において、第１の筐体１から突出している厚肉筐体１０ｂに対して、矢印Ｃに示す方向へ過度の押圧力が印加されると、拡張カード１０及びガイド部材１４は矢印Ｃに示す方向へ変位しようとする。このとき、拡張カード１０に印加される押圧力が突起部１４ｄを変形しうる押圧力である場合、突起部１４ｄは、拡張カード１０によって過度の負荷がかかり矢印Ｃに示す方向へ変形しようとする。しかし、突起部１４ｄは、近傍に規制部１２ｆが存在するため、過度の負荷がかかり矢印Ｃに示す方向へ変形しようとする際に規制部１２ｆに当接する。これにより、突起部１４ｄは、矢印Ｃに示す方向への変形が規制され、大きな変形や損傷を回避することができる。具体的には、突起部１４ｄが、以降の拡張カード装着時に拡張カード１０が当接できない程度に、大きく変形したり損傷したりすることを回避することができる。
【００３２】
すなわち、仮に、突起部１４ｄの矢印Ｃに示す側に突起部１４ｄの変形を規制する部材が存在しなかった場合、拡張カード１０に対して矢印Ｃに示す方向への過度の押圧力が印加されると、突起部１４ｄは拡張カード１０によって押圧されて、大きく変形したり損傷したりすることがある。突起部１４ｄが大きく変形したり損傷したりすると、例えば以降の拡張カード１０の装着時に拡張カード１０の端部１０ｅが突起部１４ｄに当接できなくなり、ガイド部材１４が矢印Ｃに示す方向へ変位しなくなる場合がある。あるいは、突起部１４ｄが大きく変形したり損傷したりすると、例えば変形または損傷した突起部１４ｄと端部１０ｅとの係合位置関係にズレが発生し、突起部１４ｄが第２側部１３ｃと干渉する場合があったり、ガイド部材１４の間隙部１４ａと第２側部１３ｃとの摺動部分に損傷を及ぼすことでハートカム機構（不図示）までも損傷したりする等で、ガイド部材１４が矢印Ｃおよび／またはＤに示す方向へ変位しなくなる場合がある。したがって、ハートカム機構（不図示）が正常に機能しなくなり、拡張カード１０を取り出す際にバネ１５の弾性復帰力を利用した取り出し動作を行うことができなくなる。
【００３３】
なお、規制部１２ｆが備わるコネクタ１２は、ネジ１６及び１７によってカードホルダー１３に強固に固定されているため、突起部１４ｄ及び規制部１２ｆに過度の押圧力が印加されたとしても、コネクタ１２がカードホルダー１３から離脱する可能性は極めて低い。
【００３４】
〔３．実施の形態の効果、他〕
本実施の形態によれば、ガイド部材１４の突起部１４ｄの近傍に規制部１２ｆを備えたことにより、カード装着装置に装着された拡張カード１０（図６Ｃ参照）に対して矢印Ｃに示す方向への過度の押圧力が印加されたとしても、突起部１４ｄの大きな変形を防止することができる。したがって、次回以降の拡張カード１０の装着時、ガイド部材１４を正常に矢印Ｃに示す方向へ変位させ、ハートカム機構（不図示）を正常に動作させることができるので、拡張カード１０をカード装着装置から取り出す際にバネ１５の弾性復帰力を利用した取り出し動作を実現することができる。
【００３５】
また、本実施の形態では、コネクタ１２に突起部１４ｄの変形を規制する規制部１２ｆを備えたことにより、突起部１４ｄの変形を規制する部材を別部材として設ける必要がないため、少ない部品点数で実現することができる。また、コネクタ１２は、ネジ１６及び１７によってカードホルダー１３に強固に固定されているため、拡張カード１０に過度の押圧力が印加されたとしても、コネクタ１２がカードホルダー１３から離脱しにくい。
【００３６】
なお、本実施の形態では、規制部１２ｆはコネクタ１２の一部に設けたが、この構成に限らない。規制部１２ｆに相当する部分は、少なくとも突起部１４ｄに当接可能な位置に設けられ、拡張カード１０がコネクタ１２に対する嵌合を抑制するように構成できればよい。例えば、ガイド部材１４が図６Ｃに示す位置にあるときにおける、突起部１４ｄに対して矢印Ｃ側の近傍に、カードホルダー１３の底部１３ａから壁状に立設した突起部を設けてもよい。図７は、コネクタ１２とガイド部材１４との係合状態を示す斜視図である。図７において、コネクタ１２とガイド部材１４との係合部分を明瞭に図示するために、端子部１２ａ（図５参照）及び第２側部１３ｃ（図３および図６等参照）の図示は省略した。突起部１４ｄは、図７に示すように規制部１２ｆに対して微小隙間を挟んで対向する状態と、図７に示す位置から矢印Ｄに示す方向へ変位し規制部１２ｆに対して離隔した状態とをとり得る。なお、規制部１２ｆは、コネクタ１２がカードホルダー１３に固定されているため、突起部１４ｄの当接に対して不動状態である。なお、同図では、突起部１４ｄが規制部１２ｆに対して高さ方向で埋没する構成を例に挙げ説明したが、規制部１２ｆに対し突起部１４ｄが当接する構成であれば目的は十分達成することができる。
【００３７】
また、本実施の形態では、カードホルダー１３における一方の側部（第２の側部１３ｃ）にのみガイド部材１４及びバネ１５を保持させたが、他方の側部（第１の側部１３ｂ）、またはその両方にガイド部材及びバネを保持させてもよい。その場合は、本実施の形態における突起部１４ｄと同等の構造を、第１の側部１３ｂに保持されたガイド部材に備え、規制部１２ｆと同等の構造を、コネクタ１２のリブ１２ｂに備えることが好ましい。
【００３８】
また、本実施の形態では、拡張カード１０は、薄肉筐体１０ａと厚肉筐体１０ｂとを備えた構成としたが、厚肉筐体１０ｂは必須ではない。拡張カード１０は、カード装着装置に装着された状態において少なくとも一部が第１の筐体１から突出するサイズまたは形状を有する薄肉筐体１０ａのみで構成された拡張カードであっても、本実施の形態と同様の効果を得ることができる。また、拡張カード１０が薄肉筐体１０ａのみで構成される拡張カードである場合、カード装着装置に拡張カードを装着する際に、当該拡張カードに過剰な押圧力が印加されたとしても、カード装着装置を保護することができるため有効である。また、ハートカム機構によってカード装着装置への着脱が可能な拡張カードであればよい。
【００３９】
また、本実施の形態では、図６Ｃに示すように、拡張カード１０がカード装着装置に装着された状態において外部から過度の押圧力が印加された際に突起部１４ｄの大きな変形を防止する構成としたが、図６Ａに示す状態または図６Ｂに示す状態において、拡張カード１０に対して外部から過度の押圧力が印加された際にも、本実施の形態と同様に規制部１２ｆが突起部１４ｄの大きな変形を防止することができる。
【００４０】
また、本実施の形態におけるカード装着装置は、ノートパソコンに限らず、少なくともプッシュ−プッシュ型のカードスロットを備えることができる機器であればよい。例えば、デスクトップパソコン、メモリーカード・リーダー、メモリーカード・ライター、携帯電話端末、ゲーム機、電子辞書端末などであってもよい。
【００４１】
また、拡張カード１０は、本実施の形態のようにアンテナ及び送受信回路を備える構成に限らず、他の機能を備える構成であってもよい。例えば、各種情報を書き込み及び読み出し可能な記憶素子を内蔵したカードであってもよい。また、ケーブルなどを接続可能な端子を備える構成であってもよい。拡張カード１０に備えることができる端子としては、例えばＬＡＮコネクタ、ＵＳＢ（Universal Serial Bus）規格に準拠した端子、ＩＥＥＥ１３９４（IEEE；Institute of Electrical and Electronic Engineers）規格に準拠した端子等がある。
【００４２】
また、本実施の形態におけるガイド部材１４は、本発明のガイド部材の一例である。本実施の形態におけるバネ１５は、本発明の付勢部材の一例である。本実施の形態における規制部１２ｆは、本発明の規制部の一例である。本実施の形態における突起部１４ｄは、本発明の突起部の一例である。
【産業上の利用可能性】
【００４３】
本願は、カード装着装置、電子機器に有用である。
【符号の説明】
【００４４】
１０  拡張カード
１１  カードスロット
１２  コネクタ
１２ｆ  規制部
１３  カードホルダー
１４  ガイド部材
１４ｄ  突起部
１５  バネ
【図１】
2011222314.tif 000003
【図２】
2011222314.tif 000004
【図３】
2011222314.tif 000005
【図４】
2011222314.tif 000006
【図５】
2011222314.tif 000007
【図６Ａ】
2011222314.tif 000008
【図６Ｂ】
2011222314.tif 000009
【図６Ｃ】
2011222314.tif 000010
【図７】
2011222314.tif 000011